【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
文書データをアプリケーションから取得し、印刷装置において解釈可能なフォーマットに変換し、該変換された文書データを前記印刷装置に送信する印刷制御装置であって、
前記文書データの文書名に、予め定められた文字列が含まれているか否かを判定する第１の判定手段と、
前記第１の判定手段により前記文書名に前記文字列が含まれていると判定された場合に、前記文書名から前記文字列を削除して新たな文書名とする第１の削除手段と、
前記新たな文書名、若しくは、前記第１の判定手段により前記文書名に前記文字列が含まれていないと判定された場合における前記文書名の文字数が、予め定められた最大表示可能文字数を超えているか否かを判定する第２の判定手段と、
前記第２の判定手段により前記新たな文書名若しくは前記文書名の文字数が前記最大表示可能文字数を超えていると判定された場合に、前記新たな文書名若しくは前記文書名の先頭から文字を削除して前記最大表示可能文字数を越えない新たな文書名とする第２の削除手段と
を備えることを特徴とする印刷制御装置。
【請求項２】
前記第１の削除手段及び前記第２の削除手段の少なくともいずれかにより文字が削除された前記新たな文書名を前記印刷装置において解釈可能なフォーマットに変換し、前記印刷装置に送信する送信手段を
さらに備えることを特徴とする請求項１に記載の印刷制御装置。
【請求項３】
前記文書名に含まれる拡張子と文字列とが関連付けられて登録されたテーブルと、
前記テーブルを参照することにより前記拡張子に関連付けられた前記文字列を特定する特定手段とをさらに備え、
前記第１の削除手段は、前記文書名から前記特定手段により特定された前記文字列を削除することを特徴とする請求項１又は２に記載の印刷制御装置。
【請求項４】
文書データをアプリケーションから取得し、印刷装置において解釈可能なフォーマットに変換し、該変換された文書データを前記印刷装置に送信する印刷制御装置において実行される印刷制御方法であって、
前記印刷制御装置の第１の判定手段が、前記文書データの文書名に、予め定められた文字列が含まれているか否かを判定する第１の判定工程と、
前記印刷制御装置の第１の削除手段が、前記第１の判定工程において前記文書名に前記文字列が含まれていると判定された場合に、前記文書名から前記文字列を削除して新たな文書名とする第１の削除工程と、
前記印刷制御装置の第２の判定手段が、前記新たな文書名若しくは前記文書名の文字数が前記最大表示可能文字数を超えているか否かを判定する第２の判定工程と、
前記印刷制御装置の第２の削除手段が、前記第２の判定工程において前記新たな文書名若しくは前記文書名の文字数が前記最大表示可能文字数を超えていると判定された場合に、前記新たな文書名若しくは前記文書名の先頭から文字を削除して前記最大表示可能文字数を越えない新たな文書名とする第２の削除工程と
を有することを特徴とする印刷制御方法。
【請求項５】
請求項４に記載の印刷制御装置の制御方法の各工程をコンピュータに実行させるプログラム。
【請求項６】
文書データをアプリケーションから取得し、印刷装置において解釈可能なフォーマットに変換し、該変換された文書データを前記印刷装置に送信する印刷制御装置であって、
前記文書データの文書名を取得する取得手段と、
前記取得手段により取得された前記文書名が前記印刷装置で表示可能な文字数を超えた場合に、前記文書名を前記表示可能な文字数に収めるように前記文書名を変更する変更手段と
を備えることを特徴とする印刷制御装置。
【請求項７】
前記変更手段は、予め設定された文字列まで前記文書名の先頭から文字を削除するか、前記文字列を前記文書名から削除するかによって、前記文書名を変更することを特徴とする請求項６に記載の印刷制御装置。
【請求項８】
文書データをアプリケーションから取得し、印刷装置において解釈可能なフォーマットに変換し、該変換された文書データを前記印刷装置に送信する印刷制御装置において実行される印刷制御方法であって、
前記印刷制御装置の取得手段が、前記文書データの文書名を取得する取得工程と、
前記印刷制御装置の変更手段が、前記取得工程において取得された前記文書名が前記印刷装置で表示可能な文字数を超えた場合に、前記文書名を前記表示可能な文字数に収めるように前記文書名を変更する変更工程と
を有することを特徴とする印刷制御方法。
【請求項９】
前記変更工程は、予め設定された文字列まで前記文書名の先頭から文字を削除するか、前記文字列を前記文書名から削除するかによって、前記文書名を変更することを特徴とする請求項８に記載の印刷制御方法。
【請求項１０】
請求項８又は９に記載の印刷制御方法の各工程をコンピュータに実行させるプログラム。
【請求項１１】
文書データをアプリケーションから取得し、印刷装置において解釈可能なフォーマットに変換し、該変換された文書データを前記印刷装置に送信する印刷制御装置であって、
前記文書データの文書名を変更する条件を、当該文書データが取得された元であるアプリケーションに対応付けて記憶する記憶手段と、
前記文書データの文書名を取得する取得手段と、
前記取得手段により取得された文書名を、前記アプリケーションと対応付けて前記記憶手段に記憶されている前記条件に基づいて変更する変更手段と
を備えることを特徴とする印刷制御装置。
【請求項１２】
文書データをアプリケーションから取得し、印刷装置において解釈可能なフォーマットに変換し、該変換された文書データを前記印刷装置に送信する印刷制御装置において実行される印刷制御方法であって、
前記印刷制御装置の記憶手段が、前記文書データの文書名を変更する条件を、当該文書データが取得された元であるアプリケーションに対応付けて記憶する記憶工程と、
前記印刷制御装置の取得手段が、前記文書データの文書名を取得する取得工程と、
前記印刷制御装置の変更手段が、前記取得工程において取得された文書名を、前記アプリケーションと対応付けて前記記憶工程において記憶された前記条件に基づいて変更する変更工程と
を有することを特徴とする印刷制御方法。
【請求項１３】
請求項１２に記載の印刷制御方法の各工程をコンピュータに実行させるプログラム。
【手続補正２】
【補正対象書類名】明細書
【補正対象項目名】０００９
【補正方法】変更
【補正の内容】
【０００９】
本発明に係る印刷制御装置は、文書データをアプリケーションから取得し、印刷装置において解釈可能なフォーマットに変換し、該変換された文書データを前記印刷装置に送信する印刷制御装置であって、
前記文書データの文書名に、予め定められた文字列が含まれているか否かを判定する第１の判定手段と、
前記第１の判定手段により前記文書名に前記文字列が含まれていると判定された場合に、前記文書名から前記文字列を削除して新たな文書名とする第１の削除手段と、
前記新たな文書名、若しくは、前記第１の判定手段により前記文書名に前記文字列が含まれていないと判定された場合における前記文書名の文字数が、予め定められた最大表示可能文字数を超えているか否かを判定する第２の判定手段と、
前記第２の判定手段により前記新たな文書名若しくは前記文書名の文字数が前記最大表示可能文字数を超えていると判定された場合に、前記新たな文書名若しくは前記文書名の先頭から文字を削除して前記最大表示可能文字数を越えない新たな文書名とする第２の削除手段とを備えることを特徴とする。